(57)【特許請求の範囲】
【請求項１】
熱源装置である室外機と、
空調対象空間の空調を行う室内機と、を備え、
前記室外機は、
熱媒体同士の熱交換を行って前記室外機と前記室内機との間で熱伝達の中継を行う中継機の探索を行う室外機制御部と、
外部と通信を行う室外機通信部と、を有し、
前記室外機制御部は、
前記室外機通信部から特定の通信アドレスに対して第１通信コマンドを送信し、前記室外機通信部に通信応答が返ってきたら、前記特定の通信アドレスから前記室外機通信部に送信されてきた識別ＩＤに基づいて、前記特定の通信アドレスに存在するのが何かを判定し、
前記特定の通信アドレスに存在するのが前記中継機であると判定したら、制御対象を前記中継機に設定し、前記特定の通信アドレスに存在するのが前記中継機ではないと判定したら、あるいは、前記室外機通信部に通信応答が返ってこなかったら制御対象を前記室内機に設定する
空気調和システム。
【請求項２】
前記室外機制御部は、
制御対象が前記中継機に設定されている場合、
前記識別ＩＤに基づいて、前記中継機の種類を識別し、前記中継機の種類に応じた制御方法を設定する
請求項１に記載の空気調和システム。
【請求項３】
前記室外機制御部は、
制御対象を前記中継機または前記室内機に設定した後、
前記室外機通信部から特定の通信アドレスに対して第１通信コマンドを送信し、前記室外機通信部に通信応答が返ってきたら、前記特定の通信アドレスから前記室外機通信部に送信されてきた前記識別ＩＤに基づいて、前記特定の通信アドレスに存在するのが何かを判定し、
前記特定の通信アドレスに存在するのが別の室外機であると判定したら、前記特定の通信アドレスに対して、第２通信コマンドを送信する
請求項１または２に記載の空気調和システム。
【請求項４】
前記室外機制御部は、
制御対象が前記中継機に設定されている場合、
前記第２通信コマンドを送信した後、前記特定の通信アドレスから前記室外機通信部に送信されてきた識別ＩＤに基づいて、前記別の室外機に接続されている中継機が自身に接続されている前記中継機と同種であるかどうかを判定し、前記別の室外機に接続されている中継機が自身に接続されている前記中継機と同種であると判定したら、前記室外機の制御台数を組合せに設定し、前記別の室外機に接続されている中継機が自身に接続されている前記中継機と同種ではないと判定したら、前記室外機の制御台数を単独に設定する
請求項３に記載の空気調和システム。
【請求項５】
前記室外機制御部は、
制御対象が前記室内機に設定されている場合、
前記第２通信コマンドを送信した後、前記特定の通信アドレスから前記室外機通信部に送信されてきた前記識別ＩＤに基づいて、前記別の室外機が中継機と接続されているかどうかを判定し、前記別の室外機が中継機と接続されていると判定したら、前記室外機の制御台数を単独に設定し、前記別の室外機が中継機と接続されていないと判定したら、前記室外機の制御台数を組合せに設定する
請求項３または４に記載の空気調和システム。
【請求項６】
前記室外機の制御台数が組合せに設定された場合、
冷暖房能力に基づいて一つの室外機がリーダーに設定される
請求項４または５に記載の空気調和システム。
【請求項７】
前記通信アドレスは、前記室外機および前記中継機に対して、あらかじめ決められたルールに基づいて割り当てられている
請求項１〜６のいずれか一項に記載の空気調和システム。
【請求項８】
前記室外機は、
装置の種類と識別ＩＤとが対応した装置特定情報が記憶されている室外機記憶部を備えた
請求項１〜７のいずれか一項に記載の空気調和システム。
【請求項９】
熱源装置である室外機と、
空調対象空間の空調を行う室内機と、を備え、
前記室外機は、
熱媒体同士の熱交換を行って前記室外機と前記室内機との間で熱伝達の中継を行う中継機の探索を行う室外機制御部と、
外部と通信を行う室外機通信部と、を有する空気調和システムにおいて、
前記室外機通信部から特定の通信アドレスに対して第１通信コマンドを送信し、前記室外機通信部に通信応答が返ってきたら、前記特定の通信アドレスから前記室外機通信部に送信されてきた識別ＩＤに基づいて、前記特定の通信アドレスに存在するのが何かを判定し、
前記特定の通信アドレスに存在するのが前記中継機であると判定したら、制御対象を前記中継機に設定し、前記特定の通信アドレスに存在するのが前記中継機ではないと判定したら、あるいは、前記室外機通信部に通信応答が返ってこなかったら制御対象を前記室内機に設定する
空気調和システムの制御対象設定方法。
【請求項１０】
制御対象が前記中継機に設定されている場合、
前記識別ＩＤに基づいて、前記中継機の種類を識別し、前記中継機の種類に応じた制御方法を設定する
請求項９に記載の空気調和システムの制御対象設定方法。
【発明の詳細な説明】
【技術分野】
【０００１】
本発明は、中継機の有無に応じた制御を行う空気調和システムおよび空気調和システムの制御対象設定方法に関するものである。
【背景技術】
【０００２】
空気調和システムには、熱源装置である室外機と、空調対象空間の空調を行う室内機とを備え、一つの熱媒体を用いて室外機が室内機へ直接膨張を行う構成と、特許文献１のように、室外機および室内機に加え、熱媒体同士の熱交換を行って熱伝達の中継を行う中継機を備え、複数の熱媒体を用いて室外機が中継機を介して室内機へ間接膨張を行う構成とがある。つまり、空気調和システムには、中継機が存在しない構成と存在する構成とがある。【０００３】
近年、地球温暖化係数が高い熱媒体の使用量を制限することが市場要求として存在する。そこで、地球温暖化係数が高い熱媒体の使用量を制限するため、中継機が存在しない空気調和システムから中継機が存在する空気調和システムへ変更したい場合が想定される。また、その一方で、今後、地球温暖化係数が十分に小さい熱媒体が発明された際にコストを削減するため、中継機が存在する空気調和システムから中継機が存在しない空気調和システムへ変更したい場合が想定される。
【先行技術文献】
【特許文献】
【０００４】
【特許文献１】特許第５２３６００８号公報
【発明の概要】
【発明が解決しようとする課題】
【０００５】
しかしながら、従来の空気調和システムでは、中継機が存在しない構成と存在する構成とでそれぞれソフトウェアが分かれていたため、空気調和システムの構成を変更する際にはソフトウェアの変更が必要となり、手間およびコストがかかってしまうという課題があった。【０００６】
本発明は、以上のような課題を解決するためになされたもので、空気調和システムの構成を変更する際の手間およびコストを抑制することができる空気調和システムおよび空気調和システムの制御対象設定方法を提供することを目的としている。
【課題を解決するための手段】
【０００７】
本発明に係る空気調和システムは、熱源装置である室外機と、空調対象空間の空調を行う室内機と、を備え、前記室外機は、熱媒体同士の熱交換を行って前記室外機と前記室内機との間で熱伝達の中継を行う中継機の探索を行う室外機制御部と、外部と通信を行う室外機通信部と、を有し、前記室外機制御部は、前記室外機通信部から特定の通信アドレスに対して第１通信コマンドを送信し、前記室外機通信部に通信応答が返ってきたら、前記特定の通信アドレスから前記室外機通信部に送信されてきた識別ＩＤに基づいて、前記特定の通信アドレスに存在するのが何かを判定し、前記特定の通信アドレスに存在するのが前記中継機であると判定したら、制御対象を前記中継機に設定し、前記特定の通信アドレスに存在するのが前記中継機ではないと判定したら、あるいは、前記室外機通信部に通信応答が返ってこなかったら制御対象を前記室内機に設定するものである。【０００８】
また、本発明に係る空気調和システムの制御対象設定方法は、熱源装置である室外機と、空調対象空間の空調を行う室内機と、を備え、前記室外機は、熱媒体同士の熱交換を行って前記室外機と前記室内機との間で熱伝達の中継を行う中継機の探索を行う室外機制御部と、外部と通信を行う室外機通信部と、を有する空気調和システムにおいて、前記室外機通信部から特定の通信アドレスに対して第１通信コマンドを送信し、前記室外機通信部に通信応答が返ってきたら、前記特定の通信アドレスから前記室外機通信部に送信されてきた識別ＩＤに基づいて、前記特定の通信アドレスに存在するのが何かを判定し、前記特定の通信アドレスに存在するのが前記中継機であると判定したら、制御対象を前記中継機に設定し、前記特定の通信アドレスに存在するのが前記中継機ではないと判定したら、あるいは、前記室外機通信部に通信応答が返ってこなかったら制御対象を前記室内機に設定する。
【発明の効果】
【０００９】
本発明に係る空気調和システムおよび空気調和システムの制御対象設定方法によれば、通信応答の有無および識別ＩＤの情報に応じて制御対象の設定を中継機と室内機とに変えている。そのため、ソフトウェアの変更が不要であり、空気調和システムの構成を変更する際の手間およびコストを抑制することができる。
【図面の簡単な説明】
【００１０】
【図１】本発明の実施の形態１に係る空気調和システムの構成を説明する第１の図である。
【図２】本発明の実施の形態１に係る空気調和システムの構成を説明する第２の図である。
【図３】本発明の実施の形態１に係る空気調和システムの内部処理構成を示すブロック図である。
【図４】本発明の実施の形態１に係る空気調和システムの構成を説明する第３の図である。
【図５】本発明の実施の形態１に係る空気調和システムの構成を説明する第４の図である。
【図６】本発明の実施の形態１に係る空気調和システムの制御対象を決定する処理を示すフローチャートである。
【図７】本発明の実施の形態１に係る空気調和システムの制御方法を決定する処理を示すフローチャートである。
【図８】本発明の実施の形態１に係る空気調和システムのシーケンス図である。
【図９】本発明の実施の形態２に係る空気調和システムの構成を説明する第１の図である。
【図１０】本発明の実施の形態２に係る空気調和システムの構成を説明する第２の図である。
【図１１】本発明の実施の形態２に係る空気調和システムの室外機の制御台数を決定する処理を示すフローチャートである。
【図１２】本発明の実施の形態２に係る空気調和システムの第１のシーケンス図である。
【図１３】本発明の実施の形態２に係る空気調和システムの第２のシーケンス図である。
【発明を実施するための形態】
【００１１】
以下、本発明の実施の形態を図面に基づいて説明する。なお、以下に説明する実施の形態によって本発明が限定されるものではない。
【００１２】
実施の形態１．
図１は、本発明の実施の形態１に係る空気調和システム１００の構成を説明する第１の図である。図２は、本発明の実施の形態１に係る空気調和システム１００の構成を説明する第２の図である。
【００１３】
本実施の形態１に係る空気調和システム１００は、図１に示すように、熱源装置である室外機１０と空調対象空間の空調を行う室内機２０とを備え、一つの熱媒体を用いて室外機１０が室内機２０へ直接膨張を行う構成（以下、中継機３０が存在しない構成と称する）である。または、空気調和システム１００は、図２に示すように、室外機１０および室内機２０に加え、熱媒体同士の熱交換を行って室外機１０と室内機２０との間で熱伝達の中継を行う中継機３０を備え、複数の熱媒体を用いて室外機１０が中継機３０を介して室内機２０へ間接膨張を行う構成（以下、中継機３０が存在する構成と称する）である。なお、中継機３０が存在する構成において、室外機１０と中継機３０とは１対１の数である。また、室外機１０、室内機２０、および、中継機３０には、後述する通信アドレスが割り当てられている。なお、中継機３０は、例えばハイドロユニット（冷媒と水との間で熱交換を行う熱交換機）である。
【００１４】
図３は、本発明の実施の形態１に係る空気調和システム１００の内部処理構成を示すブロック図である。
図３に示すように、室外機１０は、室外機制御部１１と、室外機通信部１２と、室外機記憶部１３とを備えている。また、室内機２０は、室内機制御部２１と、室内機通信部２２と、室内機記憶部２３とを備えている。また、中継機３０は、中継機制御部３１と、中継機通信部３２と、中継機記憶部３３とを備えている。
【００１５】
室外機制御部１１は、同じ冷媒系統の室外機１０、室内機２０、および中継機３０と連動して空調動作を実行するため、室外機１０を制御するものである。また、室内機制御部２１は、室内機２０を制御するものであり、中継機制御部３１は、中継機３０を制御するものである。
【００１６】
室外機通信部１２は、同じ冷媒系統の室外機１０、室内機２０、および中継機３０と通信を行うものである。なお、通信としては、例えばＷｉ−Ｆｉ（登録商標）などの無線通信、あるいは、例えば有線ＬＡＮなどの有線通信が挙げられる。また、室内機通信部２２は、同じ冷媒系統の室外機１０と直接または中継機３０を介して通信を行うものであり、中継機通信部３２は、同じ冷媒系統の室外機１０と通信を行うものである。
【００１７】
室外機記憶部１３、室内機記憶部２３、および、中継機記憶部３３は、各種情報を記憶するものであり、例えばＲＯＭ、ＲＡＭ、または、フラッシュメモリなど、あるいはそれらを組合せたものである。
【００１８】
図１および図２に示すように、室外機１０、室内機２０、および、中継機３０には、それぞれに異なる通信アドレスが割り当てられている。この通信アドレスは、空気調和システム１００が組まれて電源が投入（ＯＮ）される前（後述する装置種類確認コマンドが送信される前）に、室外機１０、室内機２０、および、中継機３０の各装置に対して作業者によって手動で設定される。また、室外機１０および中継機３０に対しては、あらかじめ決められたルールに基づいて通信アドレスが割り当てられている。より詳しくは、室外機１０と冷媒回路的に繋がっている装置を優先に、Ｘ、Ｘ＋１、・・・と割り当て、次に他の冷媒回路の装置に割り当てていく。例えば、中継機３０ａ、３０ｂおよび室外機１０ａ、１０ｂがそれぞれ２台存在し、室外機１０ａと中継機３０ａとは１対１で接続されており、室外機１０ｂと中継機３０ｂとは１対１で接続されている構成の場合は、室外機１０ａにはＸ、中継機３０ａにはＸ＋１、室外機１０ｂにはＸ＋２、中継機３０ｂにはＸ＋３がそれぞれ割り当てられる。
【００１９】
ここで、通信アドレスと装置種類確認コマンドとは互いに関係があり、通信アドレスを各装置にランダムに割り当てると、装置種類確認コマンドを装置に対して手当たり次第に送信することになり、無駄が多くなってしまう。そこで、上記のようにあらかじめ決められたルールに基づいて通信アドレスを割り当てることによって、装置種類確認コマンドを各装置に送信しやすくすることができる。
【００２０】
また、室外機１０、室内機２０、および、中継機３０には、それぞれ識別ＩＤが割り当てられている。この識別ＩＤは、室外機１０、室内機２０、および、中継機３０のいずれであるか、同じ冷媒系統であるかどうか、何の装置であるか、などを識別するためのものである。中継機制御部３１は、中継機通信部３２が装置種類確認コマンド（以下、第１通信コマンドとも称する）を受信したら、通信応答と同時にまたは通信応答後に送信元に対して識別ＩＤを送信する。
【００２１】
そのため、室外機制御部１１が室外機通信部１２により特定の通信アドレスに対して装置種類確認コマンドを送信し、通信応答が返ってきて、受信した識別ＩＤが中継機３０に関するものであれば、空気調和システム１００に中継機３０が存在していることが分かる。一方、室外機制御部１１が室外機通信部１２により特定の通信アドレスに対して装置種類確認コマンドを送信し、通信応答が返ってこない、あるいは通信応答が返ってきても受信した識別ＩＤが中継機３０に関するものでなければ、空気調和システム１００に中継機３０が存在していないことが分かる。なお、装置の種類と識別ＩＤとが対応した装置特定情報は、室外機記憶部１３に記憶されている。
【００２２】
図４は、本発明の実施の形態１に係る空気調和システム１００の構成を説明する第３の図である。図５は、本発明の実施の形態１に係る空気調和システム１００の構成を説明する第４の図である。
【００２３】
図４および図５に示すように、中継機３０には種類があり、その種類は扱う冷媒によって分けられている。また、中継機３０は種類を識別するための識別ＩＤを有しており、その識別ＩＤは中継機記憶部３３に記憶されている。
【００２４】
そして、室外機１０の室外機制御部１１は、中継機３０の種類に応じて、同じ冷媒系統の圧縮機の回転数、ファンの回転数、および、絞り装置の開度などの制御方法を変える。なお、本実施の形態１では、制御方法の種類としては、中継機３０の種類に応じたＢタイプとＣタイプとがあるものとする。
【００２５】
図６は、本発明の実施の形態１に係る空気調和システム１００の制御対象を決定する処理を示すフローチャートである。図７は、本発明の実施の形態１に係る空気調和システム１００の制御方法を決定する処理を示すフローチャートである。図８は、本発明の実施の形態１に係る空気調和システム１００のシーケンス図である。
以下、本実施の形態１に係る空気調和システム１００の制御対象を決定する処理について、図６および図８を用いて説明する。
【００２６】
室外機１０の室外機制御部１１は、電源が投入（ＯＮ）されたらまず、制御対象を決定する処理を行う。
【００２７】
（ステップＳ１０１）
室外機制御部１１は、室外機通信部１２から特定の通信アドレスに対して装置種類確認コマンドを送信する。なお、特定の通信アドレスとは、中継機３０および室外機１０に割り当てられる可能性のある通信アドレスであり、上述のとおり、例えば室外機１０の通信アドレスがＸである場合、Ｘ＋αである。
【００２８】
（ステップＳ１０２）
室外機制御部１１は、装置種類確認コマンドを送信した特定の通信アドレスから室外機通信部１２に通信応答が返ってきたかどうかを判定する。室外機制御部１１が、室外機通信部１２に通信応答が返ってきたと判定した場合（ＹＥＳ）、ステップＳ１０３の処理に移行する。一方、室外機制御部１１が、あらかじめ設定された時間以内に室外機通信部１２に通信応答が返ってこないと判定した場合（ＮＯ）、ステップＳ１０５の処理に移行する。
【００２９】
（ステップＳ１０３）
室外機制御部１１は、室外機通信部１２に通信応答と同時にまたは通信応答後に送信されてきた識別ＩＤが中継機３０に関するものであるかどうかを判定する。室外機制御部１１が、識別ＩＤが中継機３０に関するものであると判定した場合（ＹＥＳ）、ステップＳ１０４の処理に移行する。一方、室外機制御部１１が、識別ＩＤが中継機３０に関するものではないと判定した場合（ＮＯ）、ステップＳ１０５の処理に移行する。
【００３０】
（ステップＳ１０４）
室外機制御部１１は、中継機３０が存在すると判定し、制御対象を中継機３０に設定する。そして、室外機制御部１１は、中継機３０に制御コマンドを送信し、中継機３０を介して間接的に室内機２０の制御を行う。なお、制御対象の設定情報は、室外機記憶部１３に記憶される。
【００３１】
（ステップＳ１０５）
室外機制御部１１は、中継機３０が存在しないと判定し、制御対象を室内機２０に設定する。そして、室外機制御部１１は、室内機２０に制御コマンドを送信し、直接的に室内機２０の制御を行う。なお、制御対象の設定情報は、室外機記憶部１３に記憶される。
【００３２】
このように、本実施の形態１に係る空気調和システム１００では、通信応答の有無および識別ＩＤの情報に応じて制御対象の設定を中継機３０と室内機２０とに変えている。
【００３３】
次に、本実施の形態１に係る空気調和システム１００の制御方法を決定する処理について、図７および図８を用いて説明する。なお、本実施の形態１では、中継機３０の種類としては、ＢタイプとＣタイプとがあるものとする。
【００３４】
室外機制御部１１は、図６のステップＳ１０４で制御対象が中継機３０に設定された場合に、図７に示す制御方法を決定する処理を行う。
【００３５】
（ステップＳ１１１）
室外機制御部１１は、図６のステップＳ１０２で室外機通信部１２に通信応答と同時にまたは通信応答後に送信されてきた識別ＩＤから中継機３０の種類を識別する。室外機制御部１１が、中継機３０の種類がＢタイプであると識別した場合、ステップＳ１１２の処理に移行する。一方、室外機制御部１１が、中継機３０の種類がＣタイプであると識別した場合、ステップＳ１１３の処理に移行する。
【００３６】
（ステップＳ１１２）
室外機制御部１１は、制御方法をＢタイプに設定する。そして、室外機制御部１１は、Ｂタイプの制御方法に基づいて、同じ冷媒系統の圧縮機の回転数、ファンの回転数、および、絞り装置の開度などを制御する。なお、制御方法の設定情報は、室外機記憶部１３に記憶される。
【００３７】
（ステップＳ１１３）
室外機制御部１１は、制御方法をＣタイプに設定する。そして、室外機制御部１１は、Ｃタイプの制御方法に基づいて、同じ冷媒系統の圧縮機の回転数、ファンの回転数、および、絞り装置の開度などを制御する。なお、制御方法の設定情報は、室外機記憶部１３に記憶される。
【００３８】
このように、本実施の形態１に係る空気調和システム１００では、制御対象が中継機３０に設定されている場合、識別ＩＤに基づいて、中継機３０の種類を識別し、中継機３０の種類に応じた制御方法を設定する。
【００３９】
以上、本実施の形態１に係る空気調和システム１００は、熱源装置である室外機１０と、空調対象空間の空調を行う室内機２０と、を備え、室外機１０は、熱媒体同士の熱交換を行って、熱媒体同士の熱交換を行って室外機１０と室内機２０との間で熱伝達の中継を行う中継機３０の探索を行う室外機制御部１１と、外部と通信を行う室外機通信部１２と、を有し、室外機制御部１１は、室外機通信部１２から特定の通信アドレスに対して第１通信コマンドを送信し、室外機通信部１２に通信応答が返ってきたら、特定の通信アドレスから室外機通信部１２に送信されてきた識別ＩＤに基づいて、特定の通信アドレスに存在する装置を判定し、特定の通信アドレスに存在するのが中継機３０であると判定したら、制御対象を中継機３０に設定し、特定の通信アドレスに存在するのが中継機３０ではないと判定したら、あるいは、室外機通信部１２に通信応答が返ってこなかったら制御対象を室内機２０に設定するものである。
【００４０】
また、本実施の形態１に係る空気調和システム１００の制御対象設定方法は、熱源装置である室外機１０と、空調対象空間の空調を行う室内機２０と、を備え、室外機１０は、熱媒体同士の熱交換を行って室外機１０と室内機２０との間で熱伝達の中継を行う中継機３０の探索を行う室外機制御部１１と、外部と通信を行う室外機通信部１２と、を有する空気調和システム１００において、室外機通信部１２から特定の通信アドレスに対して第１通信コマンドを送信し、室外機通信部１２に通信応答が返ってきたら、特定の通信アドレスから室外機通信部１２に送信されてきた識別ＩＤに基づいて、特定の通信アドレスに存在する装置を判定し、特定の通信アドレスに存在するのが中継機３０であると判定したら、制御対象を中継機３０に設定し、特定の通信アドレスに存在するのが中継機３０ではないと判定したら、あるいは、室外機通信部１２に通信応答が返ってこなかったら制御対象を室内機２０に設定する。
【００４１】
本実施の形態１に係る空気調和システム１００および空気調和システム１００の制御対象設定方法によれば、通信応答の有無および識別ＩＤの情報に応じて制御対象の設定を中継機３０と室内機２０とに変えている。具体的には、本実施の形態１に係る空気調和システム１００では、プラットフォーム的なソフトウェアが用意されている。そして、装置種類確認コマンドにより得られた識別ＩＤから特定される装置およびシステムの条件（例えば、熱媒体Ａで制御方法がＢタイプの中継機３０を備えたシステム）を、プラットフォーム的なソフトウェア中に当てはめ、該当するソフトフェアで制御する。なお、プラットフォーム的なソフトウェアとしては、よく使う装置およびシステムに対応したソフトウェアを用意する。このようなソフトウェアによって、更新することなく、システム施工後の装置の追加または削除に柔軟に対応することができる。そのため、本実施の形態１に係る空気調和システム１００および空気調和システム１００の制御対象設定方法では、中継機３０の有無に応じたソフトウェアの変更が不要であり、空気調和システム１００の構成を変更する際の手間およびコストを抑制することができる。ただし、システムを構築後に新規な装置に変更する場合は、それに合わせて装置特定情報およびプラットフォーム的なソフトウェアの一部を更新する必要がある。
【００４２】
また、本実施の形態１に係る空気調和システム１００および空気調和システム１００の制御対象設定方法において、室外機制御部１１は、制御対象が中継機３０に設定されている場合、識別ＩＤに基づいて、中継機３０の種類を識別し、中継機３０の種類に応じた制御方法を設定するものである。
【００４３】
本実施の形態１に係る空気調和システム１００および空気調和システム１００の制御対象設定方法によれば、中継機３０の種類に応じて制御方法を変えている。そのため、中継機３０の種類に応じたソフトウェアの変更が不要であり、空気調和システム１００の構成を変更する際の手間およびコストを抑制することができる。
【００４４】
実施の形態２．
以下、本発明の実施の形態２について説明するが、実施の形態１と重複するものについては説明を省略し、実施の形態１と同じ部分または相当する部分には同じ符号を付す。
【００４５】
図９は、本発明の実施の形態２に係る空気調和システム１００の構成を説明する第１の図である。図１０は、本発明の実施の形態２に係る空気調和システム１００の構成を説明する第２の図である。
【００４６】
本実施の形態２に係る空気調和システム１００では、同じ冷媒系統に複数の室外機１０を備えている。中継機３０が存在しない構成においては、図９に示すように例えば２台の室外機１０ａ、１０ｂと１台の室内機２０とを備えた構成である。また、中継機３０が存在する構成においては、図１０に示すように例えば２台の室外機１０ａ、１０ｂと２台の中継機３０ａ、３０ｂと１台の室内機２０とを備えた構成である。なお、中継機３０が存在する構成において、室外機１０と中継機３０とは１対１の数である。
【００４７】
図９および図１０に示すように、室外機１０、室内機２０、および、中継機３０には、それぞれに異なる通信アドレスが割り当てられている。室外機１０ａ、１０ｂおよび中継機３０ａ、３０ｂに対しては、あらかじめ決められたルールに基づいて通信アドレスが割り当てられている。例えば、室外機１０ａの通信アドレスがＸである場合、中継機３０が存在する構成では、中継機３０にはＸ＋αの通信アドレスが割り当てられ、中継機３０が存在しない構成では、室外機１０ｂにはＸ＋αの通信アドレスが割り当てられる。
【００４８】
また、図１０に示すように、中継機３０および室外機１０がそれぞれ複数存在し、室外機１０ａと中継機３０ａとは１対１で接続されており、室外機１０ｂと中継機３０ｂとは１対１で接続されている。そして、通信アドレスがＸの室外機１０ａに接続されている中継機３０ａにはＸ＋αの通信アドレスが割り当てられている。また、室外機１０ａとは別の室外機１０ｂにはＸ＋βの通信アドレスが割り当てられ、室外機１０ｂに接続されている中継機３０ｂには（Ｘ＋β）＋αの通信アドレスが割り当てられている。つまり、室外機１０同士の通信アドレスには、βの差分が設定されており、互いに接続されている室外機１０と中継機３０との通信アドレスには、αの差分が設定されている。
【００４９】
また、室外機１０ａ、１０ｂ、室内機２０、および、中継機３０ａ、３０ｂには、それぞれ識別ＩＤが割り当てられている。この識別ＩＤは、室外機１０ａ、１０ｂ、室内機２０、および、中継機３０ａ、３０ｂのいずれであるか、同じ冷媒系統であるかどうか、何の装置であるか、などを識別するためのものである。中継機制御部３１は、中継機通信部３２が置種類確認コマンドを受信したら、通信応答と同時にまたは通信応答後に送信元に対して識別ＩＤを送信する。
【００５０】
そのため、室外機１０ａの室外機制御部１１が室外機通信部１２により特定の通信アドレスに対して装置種類確認コマンドを送信し、通信応答が返ってきて、受信した識別ＩＤが中継機３０に関するものであれば、空気調和システム１００に中継機３０が存在していることが分かる。また、室外機１０ａの室外機制御部１１が室外機通信部１２により特定の通信アドレスに対して装置種類確認コマンドを送信し、通信応答が返ってきて、受信した識別ＩＤが室外機１０に関するものであれば、空気調和システム１００に室外機１０が複数存在していることが分かる。
【００５１】
図１１は、本発明の実施の形態２に係る空気調和システム１００の室外機１０の制御台数を決定する処理を示すフローチャートである。図１２は、本発明の実施の形態２に係る空気調和システム１００の第１のシーケンス図である。図１３は、本発明の実施の形態２に係る空気調和システム１００の第２のシーケンス図である。
以下、本実施の形態２に係る空気調和システム１００の室外機１０の制御台数を決定する処理について、図１１〜図１３を用いて説明する。なお、本実施の形態２では、２台の室外機１０が存在する場合において説明するが、３台以上存在する場合においても同様である。
【００５２】
室外機１０ａの室外機制御部１１は、実施の形態１で説明した制御対象を決定する処理で制御対象が中継機３０または室内機２０に設定された後で、図１１に示す室外機１０の制御台数を決定する処理を行う。
【００５３】
（ステップＳ２０１）
室外機１０ａの室外機制御部１１は、室外機通信部１２から特定の通信アドレスに対して装置種類確認コマンドを送信する。
【００５４】
（ステップＳ２０２）
室外機１０ａの室外機制御部１１は、装置種類確認コマンドを送信した特定の通信アドレスから室外機通信部１２に通信応答が返ってきたかどうかを判定する。室外機１０ａの室外機制御部１１が、室外機通信部１２に通信応答が返ってきたと判定した場合（ＹＥＳ）、ステップＳ２０３の処理に移行する。一方、室外機１０ａの室外機制御部１１が、あらかじめ設定された時間以内に室外機通信部１２に通信応答が返ってこないと判定した場合（ＮＯ）、室外機１０の制御台数を決定する処理を終了する。
【００５５】
（ステップＳ２０３）
室外機１０ａの室外機制御部１１は、室外機通信部１２に通信応答と同時にまたは通信応答後に送信されてきた識別ＩＤが、当該室外機制御部１１を備える室外機１０ａとは別の室外機１０ｂに関するものであるかどうかを判定する。室外機１０ａの室外機制御部１１が、識別ＩＤが室外機１０ｂに関するものであると判定した場合（ＹＥＳ）、ステップＳ２０４の処理に移行する。一方、室外機１０ａの室外機制御部１１が、識別ＩＤが室外機１０ｂに関するものではないと判定した場合（ＮＯ）、ステップＳ２０１の処理に戻って、室外機通信部１２から前回とは別の特定の通信アドレスに対して装置種類確認コマンドを送信する。例えば、前回にＸ＋αの通信アドレスに対して装置種類確認コマンドを送信していたら、Ｘ＋βの通信アドレスに対して装置種類確認コマンドを送信する。
【００５６】
（ステップＳ２０４）
室外機１０ａの室外機制御部１１は、当該室外機制御部１１を備える室外機１０ａとは別の室外機１０ｂが存在すると判定し、その室外機１０ｂの通信アドレスに対して構成確認コマンド（以下、第２通信コマンドとも称する）を送信する。このとき、別の室外機１０ｂの室外機制御部１１は、室外機通信部１２が構成確認コマンドを受信したら、通信応答と同時にまたは通信応答後に送信元に対して識別ＩＤを送信する。
【００５７】
（ステップＳ２０５）
室外機１０ａの室外機制御部１１は、制御対象が中継機３０および室内機２０のどちらに設定されているか室外機記憶部１３を確認する。室外機１０ａの室外機制御部１１が、制御対象が中継機３０に設定されていることを確認した場合（ＹＥＳ）、ステップＳ２０６の処理に移行する。一方、室外機１０ａの室外機制御部１１が、制御対象が室内機２０に設定されていることを確認した場合（ＮＯ）、ステップＳ２０７の処理に移行する。なお、ステップＳ２０４の処理とステップＳ２０５の処理とは、実行される順番が逆でもよい。
【００５８】
（ステップＳ２０６）
室外機１０ａの室外機制御部１１は、室外機通信部１２に通信応答と同時にまたは通信応答後に送信されてきた識別ＩＤから、別の室外機１０ｂに接続されている中継機３０が自身に接続されている中継機３０と同種であるかどうかを判定する。室外機１０ａの室外機制御部１１が、別の室外機１０ｂに接続されている中継機３０が自身に接続されている中継機３０と同種であると判定した場合（ＹＥＳ）、ステップＳ２０８の処理に移行する。一方、室外機１０ａの室外機制御部１１が、別の室外機１０ｂに接続されている中継機３０が自身に接続されている中継機３０と同種ではないと判定した場合（ＮＯ）、ステップＳ２０９の処理に移行する。
【００５９】
（ステップＳ２０７）
室外機１０ａの室外機制御部１１は、室外機通信部１２に通信応答と同時にまたは通信応答後に送信されてきた識別ＩＤから、別の室外機１０ｂが中継機３０と接続されているかどうかを判定する。室外機１０ａの室外機制御部１１が、別の室外機１０ｂが中継機３０と接続されていると判定した場合（ＹＥＳ）、ステップＳ２１０の処理に移行する。一方、室外機１０ａの室外機制御部１１が、別の室外機１０ｂが中継機３０と接続されていないと判定した場合（ＮＯ）、ステップＳ２１１の処理に移行する。
【００６０】
（ステップＳ２０８）
ここで、室外機１０ａの室外機制御部１１は、室外機１０の制御台数を２台の組合せに設定する。そして、２台の室外機１０ａ、１０ｂは連動して動作する。なお、室外機１０の制御台数の設定情報は、室外機記憶部１３に記憶される。ここで、複数の室外機１０が連動して動作する場合、冷暖房能力などに基づいて一つの室外機１０がリーダーに設定される。そして、リーダーに設定された室外機１０が空気調和システム１００のメイン制御を行うものとする。また、室内機２０に対して、運転要求先をリーダーの室外機１０に接続されている中継機３０に設定する通信コマンドを送信する。そして、その通信コマンドを受信した室内機２０は、運転要求先をリーダーの室外機１０に接続されている中継機３０に設定する。なお、運転要求先の設定情報は、室内機記憶部２３に記憶される。
【００６１】
（ステップＳ２０９）
ここで、室外機１０ａの室外機制御部１１は、室外機１０の制御台数を単独に設定する。そして、２台の室外機１０ａ、１０ｂがそれぞれ単独で動作する。なお、室外機１０の制御台数の設定情報は、室外機記憶部１３に記憶される。また、室内機２０に対して、運転要求先を送信元の室外機１０に接続されている中継機３０に設定する通信コマンドを送信する。そして、その通信コマンドを受信した室内機２０は、運転要求先を送信元の室外機１０に接続されている中継機３０に設定する。なお、運転要求先の設定情報は、室内機記憶部２３に記憶される。
【００６２】
（ステップＳ２１０）
ここで、室外機１０ａの室外機制御部１１は、室外機１０の制御台数を単独に設定する。そして、２台の室外機１０ａ、１０ｂがそれぞれ単独で動作する。なお、室外機１０の制御台数の設定情報は、室外機記憶部１３に記憶される。また、室内機２０に対して、運転要求先を送信元の室外機１０に設定する通信コマンドを送信する。そして、その通信コマンドを受信した室内機２０は、運転要求先を送信元の室外機１０に設定する。なお、運転要求先の設定情報は、室内機記憶部２３に記憶される。
【００６３】
（ステップＳ２１１）
ここで、室外機１０ａの室外機制御部１１は、室外機１０の制御台数を２台の組合せに設定する。そして、２台の室外機１０ａ、１０ｂは連動して動作する。なお、室外機１０の制御台数の設定情報は、室外機記憶部１３に記憶される。ここで、複数の室外機１０が連動して動作する場合、冷暖房能力などに基づいて一つの室外機１０がリーダーに設定される。そして、リーダーに設定された室外機１０が空気調和システム１００のメイン制御を行うものとする。また、室内機２０に対して、運転要求先をリーダーの室外機１０に設定する通信コマンドを送信する。そして、その通信コマンドを受信した室内機２０は、運転要求先をリーダーの室外機１０に設定する。なお、運転要求先の設定情報は、室内機記憶部２３に記憶される。
【００６４】
以上、本実施の形態２に係る空気調和システム１００において、室外機制御部１１は、制御対象が中継機３０に設定されている場合、第２通信コマンドを送信した後、特定の通信アドレスから室外機通信部１２に送信されてきた識別ＩＤに基づいて、別の室外機１０に接続されている中継機３０が自身に接続されている中継機３０と同種であるかどうかを判定し、別の室外機１０に接続されている中継機３０が自身に接続されている中継機３０と同種であると判定したら、室外機１０の制御台数を組合せに設定し、別の室外機１０に接続されている中継機３０が自身に接続されている中継機３０と同種ではないと判定したら、室外機１０の制御台数を単独に設定するものである。
【００６５】
また、室外機制御部１１は、制御対象が室内機２０に設定されている場合、第２通信コマンドを送信した後、特定の通信アドレスから室外機通信部１２に送信されてきた識別ＩＤに基づいて、別の室外機１０が中継機３０と接続されているかどうかを判定し、別の室外機１０が中継機３０と接続されていると判定したら、室外機１０の制御台数を単独に設定し、別の室外機１０が中継機３０と接続されていないと判定したら、室外機１０の制御台数を組合せに設定するものである。
【００６６】
以上、本実施の形態２に係る空気調和システム１００は、室外機１０の台数が複数存在する場合でも、ソフトウェアの変更が不要である。そのため、ソフトウェアを変更することなく室外機１０の増大が可能であり、運転能力の強化が図れる。また、中継機３０の有無、あるいは、中継機３０の種類に応じて制御方法を変えている。そのため、中継機３０の有無、あるいは、中継機３０の種類に応じたソフトウェアの変更が不要であり、空気調和システム１００の構成を変更する際の手間およびコストを抑制することができる。
【符号の説明】
【００６７】
１０  室外機、１０ａ  室外機、１０ｂ  室外機、１１  室外機制御部、１２  室外機通信部、１３  室外機記憶部、２０  室内機、２１  室内機制御部、２２  室内機通信部、２３  室内機記憶部、３０  中継機、３０ａ  中継機、３０ｂ  中継機、３１  中継機制御部、３２  中継機通信部、３３  中継機記憶部、１００  空気調和システム。
【図１】
0006968297.tif 000002
【図２】
0006968297.tif 000003
【図３】
0006968297.tif 000004
【図４】
0006968297.tif 000005
【図５】
0006968297.tif 000006
【図６】
0006968297.tif 000007
【図７】
0006968297.tif 000008
【図８】
0006968297.tif 000009
【図９】
0006968297.tif 000010
【図１０】
0006968297.tif 000011
【図１１】
0006968297.tif 000012
【図１２】
0006968297.tif 000013
【図１３】
0006968297.tif 000014